(57)【要約】【課題】被挟持物の厚さに差がある場合にでも、高い挟持力を有するクリップを有する筆記具を提供する。【解決手段】本発明は、筒体に対し、クリップを開閉自在に連結し、前記筒体とクリップ間に配設した弾性体によって、クリップの先端内壁部を前記筒体外壁面側に常時弾発した状態に付設し、クリップの後端部外壁の操作部を、前記筒体外壁方向に押圧することで、筒体とクリップとの連結部を支点とし、前記クリップの先端内壁部を前記筒体外壁面から離間可能としてなるクリップを有する筆記具であって、前記クリップが、前記操作部から二股状に離間した二つのクリップ片を有し、前記二つのクリップ片が、個々に前記筒体と開閉自在に連結していることを特徴とする。【選択図】図１
2011126238.tif 000002
【特許請求の範囲】
【請求項１】
筒体に対し、クリップを開閉自在に連結し、前記筒体とクリップ間に配設した弾性体によって、クリップの先端内壁部を前記筒体外壁面側に常時弾発した状態に付設し、クリップの後端部外壁の操作部を、前記筒体外壁方向に押圧することで、筒体とクリップとの連結部を支点とし、前記クリップの先端内壁部を前記筒体外壁面から離間可能としてなるクリップを有する筆記具であって、前記クリップが、前記操作部から二股状に離間した二つのクリップ片を有し、前記二つのクリップ片が、個々に前記筒体と開閉自在に連結していることを特徴とする筆記具。
【請求項２】
前記二つのクリップ片が、個々に対応する弾性体によって、前記筒体外壁面側に常時弾発してあることを特徴とする請求項１に記載のクリップを有する筆記具。
【発明の詳細な説明】
【技術分野】
【０００１】
本発明は、筒体に対し、クリップを開閉自在に連結した、クリップを有する筆記具に関する。
【背景技術】
【０００２】
従来から、実開平５−５３９９３号公報「筆記具等のクリップ」のように、クリップの底壁に、平行する二つの係止部を形成することで、クリップと筒体間に挟持した被挟持物が容易に抜けない構造としたクリップ構造が開示されている。
【０００３】
さらに、クリップの挟持力を高める等を目的として、クリップと筒体間に挟持した被挟持物が容易に抜けないように、筒体とクリップとを開閉自在に連結し、前記筒体とクリップ間に配設した弾性体によって、クリップの先端内壁の係止部を前記筒体外壁面側に常時弾発した状態に付設し、クリップの後端部外壁の操作部を、前記筒体外壁方向に押圧することで、前記連結部を支点とし、前記係止部を前記筒体外壁面から離間可能としてなるクリップを有する筆記具はよく知られていて、特開２００１−１４６０９４号公報「筆記具のクリップ取付装置」などにて開示されている。
【先行技術文献】
【特許文献】
【０００４】
【特許文献１】実開平５−５３９９３号公報
【特許文献２】特開２００１−１４６０９４号公報
【発明の開示】
【発明が解決しようとする課題】
【０００５】
しかしながら、特許文献１、２では、クリップを被挟持物の厚さに差があるものに挟持する場合には、厚さの厚い部分を挟持して、平行するもう一方の係止部も厚さの厚い部分と同じ高さまでクリップが開くために、厚さの薄い部分では、クリップ片や係止部が被挟持物に非接触または、弱い挟持力となるために、安定して挟持することは困難であった。
【０００６】
本発明の目的は、被挟持物の厚さに差がある場合にでも、高い挟持力を有するクリップを有する筆記具を提供することにある。
【課題を解決するための手段】
【０００７】
上記目的を達成するために、本発明は、筒体に対し、クリップを開閉自在に連結し、前記筒体とクリップ間に配設した弾性体によって、クリップの先端内壁部を前記筒体外壁面側に常時弾発した状態に付設し、クリップの後端部外壁の操作部を、前記筒体外壁方向に押圧することで、筒体とクリップとの連結部を支点とし、前記クリップの先端内壁部を前記筒体外壁面から離間可能としてなるクリップを有する筆記具であって、前記クリップが、前記操作部から二股状に離間した二つのクリップ片を有し、前記二つのクリップ片が、個々に前記筒体と開閉自在に連結していることを特徴とする。
【０００８】
前記二つのクリップ片が、個々に対応する弾性体によって、前記筒体外壁面側に常時弾発してあることを特徴とする。
【０００９】
本願発明の請求項１の構成によれば、前記クリップが、前記操作部から二股状に離間した二つのクリップ片を有し、前記二つのクリップ片が、個々に前記筒体と連結している。これらの結果、クリップの後端部外壁の操作部によって、二つのクリップ片が連動して開閉するとともに、二つのクリップ片が、連結部を個々に有するために、クリップ片のそれぞれが独立して容易に開閉しやすくなり、厚さに差がある被挟持物を挟持しても、二つのクリップ片にて安定して保持することができる。
【００１０】
また、請求項２の構成によれば、前記二つのクリップ片が、個々に対応する弾性体を配設してある。その結果、厚さに差がある被挟持物を挟持しても、より安定して保持することができる。
【発明の効果】
【００１１】
本発明は、被挟持物の厚さに差がある場合にでも、高い挟持力を有するクリップを有する筆記具を提供することができた。
【図面の簡単な説明】
【００１２】
【図１】実施例１におけるクリップの上面から見た外観図である。
【図２】図１におけるクリップを連結前の状態を示す図である。
【図３】図１におけるＡ−Ａ断面図である。
【図４】図１におけるＢ−Ｂ断面図である。
【図５】図１における側面方向から見た外観図である。
【図６】図５におけるクリップを開いた状態の図である。
【図７】実施例２におけるクリップの上面から見た外観図である。
【発明を実施するための最良の形態】
【００１３】
以下、図面を参照して本発明の実施例を説明する。尚、図面中同じ部材、同じ部品については同じ番号を付してある。
【００１４】
実施例１
図１から図６に示す筆記具１は、筒体２の後端部の外壁に併設したクリップ５側に向かって延びる第１、第２突部１０Ａ、１０Ｂを覆うように、コイルスプリング１１Ａ、１１Ｂを配設することにより、クリップ片７Ａ、７Ｂの先端部の内壁に形成した係止部８Ａ、８Ｂを、筒体２の外壁面側に常時弾発して付設してある。また、クリップ５の後端部の操作部６を押圧（図４、５の矢印Ｆ方向）することにより、クリップ片７Ａ、７Ｂの係止部８Ａ、８Ｂを筒体２の外壁面から離間可能にしてある。
【００１５】
クリップ５に詳述すると、クリップ５は操作部６から二股状に離間した二つのクリップ片７Ａ、７Ｂを有しており、二つのクリップ片７Ａ、７Ｂと筒体２とをそれぞれ連結部によって連結してある。連接部は、筒体２の外壁面に、第１支柱３Ａと第２支柱３Ｂを一体に併設し、第１支柱３Ａの凸部４Ａに一方のクリップ片７Ａの凹部９Ａ、第２支柱３Ｂの凸部４Ｂに他方のクリップ片７Ｂの凹部９Ｂを凹凸嵌合によって、各クリップ片が筒体に対し開閉自在に連結してある。
【００１６】
各クリップ片７Ａ、７Ｂを、筒体２とクリップ５間に配設したコイルスプリング１１Ａ、１１Ｂによって、筒体２の外壁面側に常時弾発する構造とすることで、被係止物（図示せず）を挟持する力をコイルスプリング１１Ａ、１１Ｂによって適宜選択することができ、容易に被係止物が外れないように比較的強い挟持力としてあっても、クリップ５を破損し難くすることができる。
【００１７】
また、クリップ５の後端部の操作部６を押圧（図４、５の矢印Ｆ方向）すると、操作部６と一体に形成してある二つのクリップ片７Ａ、７Ｂが連動して係止部８Ａ、８Ｂを筒体２から離間するが、二つのクリップ片７Ａ、７Ｂのそれぞれに連結部（３Ａと８Ａ、３Ｂと８Ｂ）を設けているため、クリップ片７Ａ、７Ｂのそれぞれの連結部を支点として独立して開閉しやすくなるために、厚さに差がある被挟持物を挟持しても、厚さに対応してクリップ片７Ａ、７Ｂが開き易く、被挟持物をしやすくする。
【００１８】
図７に示す実施例２のクリップを有する筆記具１１は、クリップ１５の二つのクリップ片１７Ａ、１７Ｂが、軸方向に沿った長さが異なっている以外は、実施例１と同様にして筆記具を得ている。二つのクリップ片１７Ａ、１７Ｂの軸方向に沿った長さが異ると、コイルスプリングによる弾発力が同一であっても、一方のクリップ片１７Ａ先端部の内壁と筒体２との挟持力に対し、他方のクリップ片１７Ｂ先端部の内壁と筒体２との挟持力を高くすることができ、被挟持物を挟持するとき、挟持力の小さい長いクリップ片１７Ａの係止部から進入を開始し、進入が進むと、挟持力の高い短いクリップ片１７Ｂの係止部にて挟持することができる。
【００１９】
本実施例では、便宜上、クリップの先端内壁部を、筒体とクリップ間に配設したコイルスプリングによって、筒体外壁面側に常時弾発する構造としてあるが、弾性体としてＵ字状バネや板バネを用いてもよい。また、本実施例では、筒体を軸筒にて例示してあるが、筒体をキャップとし、キャップにクリップを付設する構造であってもよい。
【００２０】
また、クリップの先端内壁の係止部を前記筒体外壁面側に常時弾発した状態に付設してあれば弾性体の配設位置は、特に限定されるものではない。また、実施例では、二つのクリップ片に対応して弾性体を二つ配設しているが、操作部に対応する位置に、１つのコイルスプリングを配設する構造であってもよい。
【００２１】
尚、筒体は、図示はしてないが、筆記体を収容するなどした軸筒、軸筒に着脱自在に装着するキャップとして実施可能である。
【産業上の利用可能性】
【００２２】
キャップ式、ノック式等、クリップを有する筆記具として広く実施可能であり、被係止物の挟持力が高く、容易に被係止物から外れないので、通勤や通学等の移動時に効果的である。
【符号の説明】
【００２３】
１、１１  筆記具
２  筒体
３Ａ  第１支柱
３Ｂ  第２支柱
４Ａ、４Ｂ  凸部
５、１５  クリップ
６、１６  操作部
７Ａ、７Ｂ、１７Ａ、１７Ｂ  クリップ片
８Ａ、８Ｂ  係止部
９Ａ、９Ｂ  凹部
１０Ａ  第１突部
１０Ｂ  第２突部
１１Ａ、１１Ｂ  コイルスプリング
【図１】
2011126238.tif 000003
【図２】
2011126238.tif 000004
【図３】
2011126238.tif 000005
【図４】
2011126238.tif 000006
【図５】
2011126238.tif 000007
【図６】
2011126238.tif 000008
【図７】
2011126238.tif 000009